【事件の表示】
　特許第３０７３７７５号「水性塗料用低汚染化剤、低汚染型水性塗料組成物及びその使用方法」の請求項１ないし１０に係る特許に対する特許異議の申立てについて、次のとおり決定する。
【結　論】
　特許第３０７３７７５号の請求項１ないし１０に係る特許を維持する。
【理　由】
（Ｉ）手続きの経緯
　特許第３０７３７７５号の請求項１ないし１０に係る発明の出願は、１９９８年７月２１日（優先権主張１９９７年７月２４日、日本国）を国際出願日とする出願であって、平成１２年６月２日に特許権の設定登録がなされ、関西ペイント株式会社より特許異議の申立てがなされ、訂正請求がなされ、平成１４年１月２９日に「訂正を認める。特許第３０７３７７５号の請求項１ないし１０に係る特許を取り消す。」との特許異議の決定がなされた。
　この決定に対して、その取消しを求める訴えが平成１４年３月７日に東京高等裁判所に提起され［平成１４（行ケ）１１１号］、その裁判の過程である平成１５年２月１９日に訂正審判［訂正２００３−３９０３４号］が請求され、平成１６年３月１９日に「特許第３０７３７７５号に係る明細書を本件審判請求書に添付された訂正明細書のとおり訂正することを認める。」との審決がなされ、その審決が確定した後の平成１６年５月２４日に、前記特許異議の決定を取り消す旨の判決がなされた。
　
（ＩＩ）特許異議申立てについて
（ＩＩ−１）本件発明
　本件の請求項１〜１０に係る発明（以下、本件発明１〜１０という。）は、前記訂正審判の請求書に添付された訂正明細書の特許請求の範囲の請求項１〜１０に記載された次の事項により特定されるものである。
【請求項１】少なくとも１個の繰り返し単位の炭素数が２、平均分子量１５０〜２０００のポリオキシエチレン基及びアルコキシル基を有するアルコキシシランの変性縮合物（Ｓｉ−Ｃ結合を有するものを除く）であり、水を含有せず、前記アルコキシル基の炭素数が１〜４であることを特徴とする使用時に混合する水分散性の水性塗料用低汚染化剤（水溶化されたものを除く）。
【請求項２】前記アルコキシル基は、炭素数が２のエトキシ基であることを特徴とする請求項１に記載の水性塗料用低汚染化剤。
【請求項３】合成樹脂エマルション（Ａ）の固形分１００重量部に対して、少なくとも１個の繰り返し単位の炭素数が２、平均分子量１５０〜２０００のポリオキシエチレン基及びアルコキシル基を有するアルコキシシランの変性縮合物（Ｓｉ−Ｃ結合を有するものを除く）であって、水を含有せず、前記アルコキシル基の炭素数は１〜４である水分散性の水性塗料用低汚染化剤（Ｂ）（水溶化されたものを除く）がＳｉ０２換算にて１．０〜４０．０重量部からなり、流通段階では、前記合成樹脂エマルション（Ａ）含有成分と、前記水性塗料用低汚染化剤（Ｂ）の少なくとも２成分からなり、前記合成樹脂エマルション（Ａ）含有成分と、前記水性塗料用低汚染化剤（Ｂ）とが使用時に添加されたものであることを特徴とする低汚染型水性塗料組成物。
【請求項４】前記水性塗料用低汚染化剤（Ｂ）は、前記アルコキシル基が炭素数２のエトキシ基であることを特徴とする請求項３に記載の低汚染型水性塗料組成物。
【請求項５】合成樹脂エマルション（Ａ）が、アクリル樹脂系エマルションであることを特徴とする請求項３または請求項４に記載の低汚染型水性塗料組成物。
【請求項６】合成樹脂エマルション（Ａ）が、アクリルシリコン樹脂系エマルションであることを特徴とする請求項３または請求項４に記載の低汚染型水性塗料組成物。
【請求項７】合成樹脂エマルション（Ａ）が、フッ素樹脂系エマルションであることを特徴とする請求項３または請求項４に記載の低汚染型水性塗料組成物。
【請求項８】合成樹脂エマルション（Ａ）が、ウレタン樹脂系エマルションであることを特徴とする請求項３または請求項４に記載の低汚染型水性塗料組成物。
【請求項９】合成樹脂エマルション（Ａ）が、架橋反応型エマルションであることを特徴とする請求項５〜８のいずれかに記載の汚染型水性塗料組成物。
【請求項１０】合成樹脂エマルション（Ａ）の固形分１００重量部に対して、少なくとも１個の繰り返し単位の炭素数が２、平均分子量１５０〜２０００のポリオキシエチレン基及びアルコキシル基を有するアルコキシシランの変性縮合物（Ｓｉ−Ｃ結合を有するものを除く）であって、水を含有せず、前記アルコキシル基の炭素数は１〜４である水分散性の水性塗料用低汚染化剤（Ｂ）（水溶化されたものを除く）をＳｉ０２換算にて１．０〜４０．０重量部混合、塗装するものであり、流通段階では、前記合成樹脂エマルション（Ａ）含有成分と、前記水性塗料用低汚染化剤（Ｂ）の少なくとも２成分からなり、前記合成樹脂エマルション（Ａ）含有成分と、前記水性塗料用低汚染化剤（Ｂ）とを使用時に添加して混合し、塗装することを特徴とする低汚染型水性塗料組成物の使用方法。
　
（ＩＩ−２）特許異議申立ての理由
　異議申立人は、甲第１号証（特開平１０−３６７５９号公報）及び甲第２号証（特開平９−２２１６１１号公報）を提出して、本件の請求項１〜１０に係る発明は、甲第１号証及び甲第２号証で特定される、本件出願前の他の特許出願の願書に最初に添付した明細書または図面に記載された発明と同一であるから、前記請求項１〜１０に係る発明についての特許は、特許法第２９条の２の規定に違反してされたものであり、取り消すべきものである旨を主張している。
　
（ＩＩ−３）甲各号証の記載
甲第１号証（特開平１０−３６７５９号公報）：
（ア）「【請求項１】　一般式（Ｉ）：
（式中、Ｒ１は同一または異なり、炭素数１〜１０のアルキル基、炭素数６〜１０のアリール基または炭素数７〜１０のアラルキル基、Ｘ１は同一または異なり、ハロゲン原子、アルコキシ基、ヒドロキシ基、アシロキシ基、アミノキシ基、フェノキシ基、チオアルコキシ基またはアミノ基、ａは０、１または２を示す）で表わされるシリル基を含有するビニル系単量体（ａ−１）および該ビニル系単量体（ａ−１）と共重合可能なビニル系単量体（ａ−２）からなる重合成分を乳化重合させてなる乳化共重合体（Ａ）１００重量部に対して、
一般式（ＩＩ）：
（式中、Ｒ２、Ｒ３、Ｒ４およびＲ５はそれぞれ独立して炭素数１〜１０のアルキル基、炭素数６〜１０のアリール基または炭素数７〜１０のアラルキル基、Ｒ６は直接結合、炭素数１〜２０のアルキレン基または炭素数１〜２０のアルキレンオキシ基、Ｘ２はアルコキシ基、ヒドロキシ基、アシロキシ基、フェノキシ基、チオアルコキシ基、アミノ基、エポキシ基、アルキレンオキシド基、ビニル基、（メタ）アクリロイルオキシ基、スチリル基、ポリエーテル基、ポリエステル基またはポリカーボネート基、ｌ、ｍおよびｎはそれぞれモル比が式：ｌ／ｍ／ｎ＝１〜５０／１〜５０／０〜５０を満足する整数を示す）で表わされるシリコン含有化合物（Ｂ）１〜５０重量部、
および硬化触媒（Ｃ）０〜２０重量部
を配合してなる水性塗料用樹脂組成物。」（特許請求の範囲の請求項１参照）
　
（イ）「本発明は、前記従来技術に鑑みてなされたものであり、耐候性および耐水性にすぐれるとともに、耐汚染性にもすぐれた塗膜を形成することができる水性塗料用樹脂組成物を提供することを目的とする。」（段落番号【０００９】）。
　
（ウ）
（段落番号【０１００】参照）
　
（エ）
（段落番号【０１０１】参照）
　
甲第２号証（特開平９−２２１６１１号公報）：
（オ）「エマルジョンとして存在する合成樹脂（Ａ）１００重量部（固形分）および一般式（１）：（Ｒ１Ｏ）４−ａ−Ｓｉ−Ｒ２ａ（１）（式中、Ｒ１は、炭素数１〜１０のアルキル基、炭素数６〜１０のアリール基または炭素数７〜１０のアラルキル基、Ｒ２は、炭素数１〜１０のアルキル基、炭素数６〜１０のアリール基、炭素数７〜１０のアラルキル基または炭素数１〜１０のハロアルキル基、ａは０〜２の整数、複数個含まれるＲ１、複数個含まれるばあいのＲ２はそれぞれ異なっていてもよい）で表わされるシリコン化合物および（または）その部分加水分解縮合物を主成分とする水溶化せしめられてなる化合物（Ｂ）１〜１００重量部からなる水性塗料用樹脂組成物。」（特許請求の範囲の請求項１）、
（カ）「（Ｂ）成分が、一般式（１）で表わされるシリコン化合物および（または）その加水分解縮合物を、・・・（２）（注：マル２を読み替えたもの。以下同じ。）該シリコン化合物および（または）その加水分解縮合物とポリアルキレンオキシド基を有する化合物とを反応させて水溶化する・・・のいずれかの方法により水溶化せしめられた化合物である請求項１記載の水性塗料用樹脂組成物。」（同請求項１２参照）、
（キ）「各種水性塗料または水性樹脂組成物にテトラアルコキシシランおよび（または）その部分加水分解縮合物を水溶化してなる化合物を特定の割合で混合し、必要に応じて硬化触媒を特定の割合で混合することにより、従来の水性塗料では達成しえなかった耐汚染性を有し、また耐候性、耐水性にも優れた塗膜を形成することができる水性塗料用樹脂組成物がえられることを見出し」（段落番号０００６、公報３頁３欄末行〜４欄７行参照）、
（ク）「（２）のシリコン化合物等（ｂ）とポリアルキレンオキシド基を有する化合物とを反応させて水溶化する方法としては、たとえば該シリコン化合物等（ｂ）とポリアルキレンオキシド基を有し、アミノ基、カルボキシル基、ヒドロキシ基、アルコキシ基などの基を有する化合物とを反応させて水溶化する方法などがあげられる。前記ポリアルキレンオキシド基を有する化合物としては、ポリアルキレンオキシド基（たとえばポリオキシエチレン基、ポリオキシプロピレン基、・・・さらにオキシブチレン基がブロックまたはランダム結合で含まれている基など）を有し、シリコン化合物との反応を活性化するおよび（または）シリコン化合物と反応する基として作用するアミノ基、カルボキシル基、ヒドロキシル基、アルコキシ基などの基を有する化合物であるかぎりとくに限定はないが、反応活性、反応物の安定性の点から、ポリアルキレンオキシドアミン化合物が好ましい。」（段落番号０１３０〜０１３１、公報１９頁３６欄末行〜２０頁３８欄８行参照）、
（ケ）「本発明においては、エマルジョンとして存在する合成樹脂（Ａ）に、一般式（１）で表わされるシリコン化合物および（または）その部分加水分解縮合物を主成分とする水溶化せしめられてなる化合物（Ｂ）を配合した水性塗料用樹脂組成物が被処理物に塗布するされるため、（Ｂ）成分が架橋反応の際に、塗膜表面に局在し、塗膜の表面硬度が高くなり、傷がつきにくくなり、汚染を防止しうる。また、塗膜が親水性であるため、雨などの洗浄効果が発現して、より一層優れた耐汚染性を有する塗膜が形成される。」（段落番号０１５７、公報２２頁４１欄３５〜４４行）。
　
（ＩＩ−４）判断
　本件発明１〜１０は、いずれも、「ポリオキシエチレン基及びアルコキシル基を有するアルコキシシランの変性縮合物（Ｓｉ−Ｃ結合を有するものを除く）である水性塗料用低汚染化剤（水溶化されたものを除く）」という特定事項（以下、「特定事項Ａ」という。）を有するものである。
　これに対して、甲第１号証には、ポリオキシエチレン基及びアルコキシル基を有するアルコキシシランの変性縮合物について、前記（ア）の一般式（ＩＩ）で示される化合物、および、その具体例に相当する前記（ウ）および（エ）の化合物が記載されているすぎないところ、それらの化合物はいずれもＳｉ−Ｃ結合を有するものであるから、甲第１号証に、本件発明１〜１０の前記特定事項Ａに係る「Ｓｉ−Ｃ結合を有するものを除く」という条件を満足する化合物が記載または示唆されているとすることはできない。
　また、甲第２号証には、前記（オ）〜（ケ）で示されるように、ポリオキシエチレン基及びアルコキシル基を有する水溶化せしめられたアルコキシシランの変性縮合物を水性塗料用低汚染化剤とすることが記載されているものの、水溶化せしめられたアルコキシシランの変性縮合物に該当しない、すなわち、水溶化されたものを除くアルコキシシランの変性縮合物を水性塗料用低汚染化剤とすることが記載されているとすることはできないから、甲第２号証に、本件発明１〜１０の前記特定事項Ａに係る「ポリオキシエチレン基及びアルコキシル基を有するアルコキシシランの変性縮合物である水性塗料用低汚染化剤（水溶化されたものを除く）」が記載または示唆されているとすることはできない。
　そして、甲第１号証および甲第２号証は、それぞれ、甲第１号証または甲第２号証で特定される特許出願の願書に最初に添付した明細書または図面に対応するものである。
　したがって、前記特定事項Ａを特定事項として含む訂正発明１〜１０が、甲第１号証及び甲第２号証で特定される本件出願前の特許出願の願書に最初に添付した明細書または図面に記載された発明と同一であるとすることはできない。
　よって、特許異議申立人の前記主張は、「本件の請求項１〜１０に係る発明は、甲第１号証及び甲第２号証で特定される、本件出願前の他の特許出願の願書に最初に添付した明細書または図面に記載された発明と同一である」との前提において誤りであり、採用することができない。
　
（ＩＩ−５）むすび
　以上のとおりであるから、特許異議の申立ての理由によっては、本件発明１〜１０についての特許を取り消すことはできない。
　また、他に本件発明１〜１０についての特許を取り消すべき理由を発見しない。
　よって、結論のとおり決定する。
【異議決定日】
平成１４年１月２９日（２００２．１．２９）